(57)【要約】【課題】太陽電池パネルの発電効率の低下要因となっていた静電気の発生を抑制することのできる制御装置を提供すること。【解決手段】制御部１７Ｆは、第１スイッチＳＷ１を制御して、太陽電池発電システムの電力系統と、太陽電池パネル１との接続状態を非導通状態に切り替えることで、太陽電池パネル１が太陽電池発電システムの電力系統から独立した状態にあるときに、第２スイッチＳＷ２を制御して、太陽電池パネル１の正極１Ａと負極１Ｋとの接続状態を導通状態に切り替えて、太陽電池パネル１の正極１Ａと負極１Ｋとを短絡させることにより、太陽電池セル２と白板強化ガラスとの間に発生した静電気を太陽電池パネル１の正極１Ａに逃がして消滅させる除電動作を行い、太陽電池パネル１に生じたＰＩＤ（Potential Induced Degradation）現象を低下又は消滅させる。【選択図】図５
2018129949.tif 000002
【特許請求の範囲】
【請求項１】
太陽電池セルと、前記太陽電池セルの受光面側に配置される透光性基板とを含む太陽電池パネルの作動状態を制御する制御装置であって、
太陽電池発電システムの電力系統と、前記太陽電池パネルとの接続状態を導通状態又は非導通状態に切り替える第１スイッチと、
前記太陽電池パネルの正極と負極との接続状態を導通状態又は非導通状態に切り替える第２スイッチと、
前記第１スイッチ及び前記第２スイッチを制御する制御部とを備え、
前記制御部は、前記第１スイッチを制御して、前記太陽電池発電システムの電力系統と、前記太陽電池パネルとの接続状態を非導通状態に切り替えることで、前記太陽電池パネルが太陽電池発電システムの電力系統から独立した状態にあるときに、前記第２スイッチを制御して、前記太陽電池パネルの正極と負極との接続状態を導通状態に切り替えて、前記太陽電池パネルの正極と負極とを短絡させることにより、前記太陽電池セルと前記透光性基板との間に発生した静電気を前記太陽電池パネルの正極に逃がして消滅させる除電動作を行い、前記太陽電池パネルに生じたＰＩＤ（Potential Induced Degradation）現象を低下又は消滅させることを特徴とする制御装置。
【請求項２】
請求項１に記載の制御装置において、
前記制御部は、
前記太陽電池パネルにＰＩＤ現象が生じたことが認識されたときに、前記除電動作を行うことを特徴とする制御装置。
【請求項３】
請求項１に記載の制御装置において、
前記制御部は、
前記太陽電池セルと前記透光性基板との間に溜まり込んだ電子の量が所定量を超えたときに、前記除電動作を行うことを特徴とする制御装置。
【請求項４】
請求項１に記載の制御装置において、
前記制御部は、
前記太陽電池パネルの発電効率が所定の発電効率以下となったときに、前記除電動作を行うことを特徴とする制御装置。
【請求項５】
請求項１に記載の制御装置において、
前記制御部は、前記除電動作を一定の周期で行うことを特徴とする制御装置。
【請求項６】
請求項１に記載の制御装置において、
前記制御部は、
前記太陽電池パネルが作動される頻度が比較的低いと想定される予め定められた時間帯に、前記除電動作を行うことを特徴とする制御装置。
【請求項７】
請求項１に記載の制御装置において、
前記制御部は、
外部からの信号を受信したときに、前記除電動作を行うことを特徴とする制御装置。
【請求項８】
太陽電池セルと、前記太陽電池セルの受光面側に配置される透光性基板とを含む太陽電池パネルが複数個電気的に直列に配列されて構成された太陽電池ストリングの作動状態を制御する制御装置であって、
前記太陽電池ストリングの正極と負極との接続状態を導通状態又は非導通状態に切り替えるスイッチと、
前記スイッチを制御する制御部とを備え、
前記制御部は、前記スイッチを制御して、前記太陽電池ストリングの正極と負極との接続状態を導通状態に切り替えて、前記太陽電池ストリングの正極と負極とを短絡させることにより、前記太陽電池セルと前記透光性基板との間に発生した静電気を前記太陽電池ストリングの正極に逃がして消滅させる除電動作を行い、前記太陽電池ストリング単位で前記太陽電池パネルに生じたＰＩＤ現象を低下又は消滅させることを特徴とする制御装置。
【発明の詳細な説明】
【技術分野】
【０００１】
本発明は、太陽電池パネルの制御装置に関する。
【背景技術】
【０００２】
従来から、太陽光発電システムには、複数個の太陽電池（セル）を電気的に直列又は並列に接続して構成された一枚の太陽電池パネル（太陽電池モジュールともいう）を複数個直列に接続して太陽電池ストリングと呼ばれるものを構成することにより発電電圧を高め、更に、この太陽電池ストリングを複数個並列に接続して、太陽電池アレイを構成して所定の電力を得られるようにしたものが知られている。
【０００３】
一般的な太陽電池パネルは、バックシート、太陽電池セル及びガラス基板がこの順に積層される。バックシートと太陽電池セルとの間には、裏面側封止材が設けられる。太陽電池セルとガラス基板との間には、表面側封止材が設けられる。その太陽電池パネルは、表面側封止材と裏面側封止材とを溶着一体化し、バックシート及びガラス基板の周縁部を、フレームで固定することによって製造される。
【０００４】
近年の太陽光発電の普及に伴い、太陽光発電システムの大規模化が進んでいる。設備コストを低減する等の目的で、一つの太陽電池ストリングあたりの電圧が高くなる傾向にある。従って、太陽光発電システム全体としても、システム電圧が上昇する傾向にある。そのシステム電圧の上昇により、太陽電池パネルにおいては、太陽電池セルとガラス基板との間の電位差が大きくなり、高電圧が印加された状態で日中の発電が維持されることとなる。
【０００５】
屋外に置かれた太陽電池パネルの中には、高温／高湿の環境条件下において太陽電池パネルに高電圧が加わると、ガラス基板中のＮａ（ナトリウム）が遊離することによって、太陽電池素子の電荷の動きが妨げられて、太陽電池素子の発電効率が低下し、特性劣化が起こるＰＩＤ（Potential Induced Degradation）現象の発生が報告されている。ＰＩＤ現象とは、例えば１ＭＷ以上の発電能力を有する大規模太陽光発電所等の高電圧下で運用した場合に発現する劣化現象である。
【０００６】
このようなＰＩＤ現象の発生を抑制するために、ガラス基板と太陽電池セルとの間又はバックシートと太陽電池セルとの間を封止する封止材料に様々な工夫が凝らされてきた。例えば、下記特許文献１には、特定の密度を有するエチレン−α−オレフィン共重合体を含有する封止材が開示されている。また、特許文献２には、特定のエチレン−α−オレフィン−非共役ポリエン共重合体を含有する封止材が開示されている。
【０００７】
ところで、ガラス基板中のＮａ原子は、プラスの電荷を帯びた陽子と、マイナスの電荷を帯びた電子とで構成される。そのＮａ原子は、通常は、陽子と電子の数が同じで、電気的に中性の安定状態（０Ｖ）に保たれている。
【０００８】
しかし、太陽電池パネルが高温／高湿の環境条件下に置かれることで、素粒子、つまり、Ｎａ原子が陽子と電子に分かれてしまう現象をプラズマ現象という。そのプラズマ現象が発生した場合、太陽電池セルとガラス基板との間に電子が溜まり込む。これにより、太陽電池セルとガラス基板との間がマイナスに帯電し、太陽電池セルとガラス基板との間に静電気が発生する。その溜まり込む電子の量は、太陽電池パネルが置かれた環境が高温／高湿になればなるほど多くなる傾向にある。その結果、太陽電池セルとガラス基板との間に発生する静電気の量も大きくなる。
【０００９】
このような静電気の発生により、例えばＰ型半導体とＮ型半導体とをつなぎあわせた構造を有する太陽電池パネルにおいては、太陽電池セルとガラス基板との間に溜まり込んだ電子の影響を受けて、Ｐ型半導体の中の正孔がＮ型半導体の方へ移動したり、Ｎ型半導体の中の電子がＰ型半導体の方へ移動したりする。そのため、正孔をＰ型半導体に、電子をＮ型半導体に集めにくくなる。そのため、太陽電池パネルに電流が流れにくくなり、太陽電池パネルの発電効率が低下する。
【先行技術文献】
【特許文献】
【００１０】
【特許文献１】特開２０１２−２３８８５７号公報
【特許文献２】国際公開第２０１２／０７０２４５号
【発明の概要】
【発明が解決しようとする課題】
【００１１】
本発明は、上記知見に着目してなされたもので、太陽電池パネルの発電効率の低下要因となっていた静電気の発生を抑制することのできる制御装置を提供することを目的とする。
【課題を解決するための手段】
【００１２】
上記目的を達成するため、本発明の制御装置は、太陽電池セルと、前記太陽電池セルの受光面側に配置される透光性基板とを含む太陽電池パネルの作動状態を制御する制御装置であって、太陽電池発電システムの電力系統と、前記太陽電池パネルとの接続状態を導通状態又は非導通状態に切り替える第１スイッチと、前記太陽電池パネルの正極と負極との接続状態を導通状態又は非導通状態に切り替える第２スイッチと、前記第１スイッチ及び前記第２スイッチを制御する制御部とを備え、前記制御部は、前記第１スイッチを制御して、前記太陽電池発電システムの電力系統と、前記太陽電池パネルとの接続状態を非導通状態に切り替えることで、前記太陽電池パネルが太陽電池発電システムの電力系統から独立した状態にあるときに、前記第２スイッチを制御して、前記太陽電池パネルの正極と負極との接続状態を導通状態に切り替えて、前記太陽電池パネルの正極と負極とを短絡させることにより、前記太陽電池セルと前記透光性基板との間に発生した静電気を前記太陽電池パネルの正極に逃がして消滅させる除電動作を行い、前記太陽電池パネルに生じたＰＩＤ（Potential Induced Degradation）現象を低下又は消滅させることを特徴とする。
【発明の効果】
【００１３】
本発明によれば、太陽電池パネルの発電効率の低下要因となっていた静電気の発生を抑制することができる。
【図面の簡単な説明】
【００１４】
【図１】本発明の一実施形態に係る制御装置を搭載した太陽光発電システムを示す斜視図である。
【図２】図１に示す太陽光発電システムの概念図である。
【図３】図１に示す太陽電池パネルの内部構造を模式的に示す部分拡大断面図である。
【図４】図１に示す太陽電池パネルの背面状態を示す斜視図である。
【図５】図３に示す太陽電池セルと図４に示す第１制御装置との接続状態を模式的に示す回路図である。
【図６】太陽電池パネルの一部を切り欠いた斜視図である。
【図７】制御部によって行われる静電気の除電動作の概要について説明する図である（その１）。
【図８】制御部によって行われる静電気の除電動作の概要について説明する図である（その２）。
【図９】制御部によって行われる静電気の除電動作の概要について説明する図である（その３）。
【図１０】制御部によって行われる静電気の除電動作の概要について説明する図である（その４）。
【図１１】図５に示した回路の具体的な構成の一例を示すハードウェア構成図である。
【図１２】本発明の一実施形態に係る制御装置を搭載した太陽光発電システムの変形例を示す断面図である。
【発明を実施するための形態】
【００１５】
以下、本発明の一実施形態に係る制御装置について、図面を参照して説明する。なお、以下では、制御装置を太陽光発電システムに適用する場合について説明する。
【００１６】
［太陽光発電システムの全体構成］
太陽光発電システムでは、図１に示すように、太陽電池パネル１が複数個電気的に直列に配列されて、太陽電池ストリング３が構成される。ここでは、太陽電池ストリング３は、４枚の太陽電池パネル１から構成されている。
【００１７】
図２に示すように、太陽電池ストリング３が複数個並列に接続されて、太陽電池アレイ４が構築される。その太陽電池ストリング３はそれぞれ接続箱５に接続され、接続箱５は集電盤６を介してパワーコンディショナー（ＰＣＳ）７に電気的に接続されている。
【００１８】
［太陽電池パネルの構成］
図１に示すように、太陽電池パネル１は、複数個の太陽電池セル２が電気的に直列又は並列に接続されて構成されている。
【００１９】
図３に示すように、太陽電池パネル１は、太陽光が当たる側の面に白板強化ガラス８（透明性基板）が設けられ、この太陽光が当たる側が受光面８Ａとされている。この受光面８Ａとは反対側の背面には、バックシート９が設けられている。バックシート９には、不図示の耐候性フィルム膜が設けられている。
【００２０】
図３に示すように、白板強化ガラス８とバックシート９との間には、複数個の太陽電池セル２が配設されている。この太陽電池セル２は互いに隣接するセル同士がインターコネクタ１１により直列又は並列に電気的に結線されている。その電気的結線の一例が図５に模式的に示されている。
【００２１】
その各太陽電池パネル１は、図１、図３、図４に示すように、アルミニウム製の矩形状フレーム１２により矩形状に囲われて、その矩形状フレーム１２と白板強化ガラスと耐候性フィルム膜とによって囲われた空間には封止材１０が充填されている。
【００２２】
太陽電池パネル１は、例えば、図５に模式的に示すように、互いに隣接する太陽電池セル２の陽極（＋）側と陰極（−）側とが直列に接続されて構成された複数個のセル直列接続体１３Ａ、１３Ｂ、１３Ｃが並列に接続されて構成されている。
【００２３】
この太陽電池パネル１の電力は第１制御装置１４を介して取り出される。第１制御装置１４は、図３、図４に示すように、太陽電池パネル１の背面８の側に設けられている。
【００２４】
太陽電池パネル１は、図１、図４に示すように、受光面８Ａが太陽の照射光を効率良く受光できるように架台１５に斜めに配設されている。その架台１５は、例えば、基礎コンクリートブロック１５Ａと、太陽電池パネル支持支柱１５Ｂと、支持フレーム１５Ｃとから構成される。
【００２５】
［第１制御装置の構成］
第１制御装置１４は、図５に示すように、太陽電池パネル１毎に設けられる。第１制御装置１４は、太陽電池パネル１を複数個電気的に直列に接続して太陽電池ストリング３を構成するのに用いられる。
【００２６】
太陽電池パネル１は、その第１制御装置１４を介して互いに隣接する太陽電池パネル１に直列に接続され、図４において、符号１６はその太陽電池ストリング３を構成する接続コードを示している。
【００２７】
第１制御装置１４は、第１スイッチＳＷ１と、第２スイッチＳＷ２と、第２制御装置１７とを有する。
【００２８】
第１スイッチＳＷ１は、太陽電池発電システムの電力系統と、太陽電池パネル１との接続状態を導通状態又は非導通状態に切り替える。第１スイッチＳＷ１は、端子１、２を有する２端子式のオン／オフスイッチである。第１スイッチＳＷ１の端子１は、太陽電池発電システムの電力系統端子となるマイナス端子ＰＶ−に接続される。第１スイッチＳＷ１の端子２は、太陽電池パネル１の負極１Ｋに接続される。
【００２９】
第２スイッチＳＷ２は、太陽電池パネル１の正極１Ａと負極１Ｋとの接続状態を導通状態又は非導通状態に切り替える。第２スイッチＳＷ２は、端子１、２を有する２端子式のオン／オフスイッチである。第２スイッチＳＷ２の端子１は、太陽電池パネル１の正極１Ａに接続される。第２スイッチＳＷ２の端子２は、太陽電池パネル１の負極１Ｋに接続される。
【００３０】
第２制御装置１７は、検出部１７’と、データ変換部１７Ｄと、通信部１７Ｅと、制御部１７Ｆとを有する。
【００３１】
検出部１７’は、電流検出部１７Ａと、電圧検出部１７Ｂと、温度検出部１７Ｃとを有する。電流検出部１７Ａは、太陽電池パネル１のアナログ出力電流Ｉを検出する。電電圧検出部１７Ｂは、太陽電池パネル１のアナログ出力電圧Ｖを検出する。温度検出部１７Ｃは、太陽電池パネル１の温度を検出する。
【００３２】
データ変換部１７Ｄは、検出部１７’の検出情報をデジタルデータに変換する。通信部１７Ｅは、太陽電池パネル１を集中監視する制御センターＭＣとの間で無線方式又は有線方式で通信を行う。
【００３３】
制御部１７Ｆは、第１スイッチＳＷ１及び第２スイッチＳＷ２を制御する。制御部１７Ｆは、第１スイッチ及び第２スイッチを制御して、太陽電池セル２と白板強化ガラス８との間に発生した静電気を太陽電池パネル１の正極１Ａに逃がして消滅させる除電動作を行う。
【００３４】
詳細には、まず、制御部１７Ｆは、第１スイッチＳＷ１を制御して、太陽電池発電システムの電力系統と、太陽電池パネル１との接続状態を非導通状態に切り替える。具体的に、制御部１７Ｆは、太陽電池発電システムの電力系統端子となるマイナス端子ＰＶ−と、太陽電池パネル１の負極１Ｋとの接続状態を非導通状態に切り替えることで、太陽電池パネル１を太陽電池発電システムの電力系統から独立した状態にする。
【００３５】
次に、制御部１７Ｆは、第２スイッチＳＷ２を制御して、太陽電池パネル１の正極１Ａと負極１Ｋとの接続状態を導通状態に切り替えて、太陽電池パネル１の正極１Ａと負極１Ｋとを短絡させる。これにより、制御部１７Ｆは、太陽電池セル２と白板強化ガラス８との間に発生した静電気を太陽電池パネル１の正極１Ａに逃がして消滅させることで、太陽電池パネル１に生じたＰＩＤ現象を低下又は消滅させる。
【００３６】
屋外に置かれた太陽電池パネル１が高温／高湿の環境条件下に置かれることで、素粒子、つまり、Ｎａ原子が陽子と電子に分かれてしまうプラズマ現象が発生した場合、太陽電池セル２と白板強化ガラス８との間に電子が溜まり込む。これにより、太陽電池セル２と白板強化ガラス８との間がマイナスに帯電し、太陽電池セル２と白板強化ガラス８との間に静電気が発生する。その溜まり込む電子の量は、太陽電池パネル１が置かれた環境が高温／高湿になればなるほど多くなる傾向にある。その結果、太陽電池セル２と白板強化ガラス８との間に発生する静電気の量も大きくなる。
【００３７】
このような静電気の発生により、太陽電池パネル１に電流が流れなくなり発電する電力量が大幅に減少する。すなわち、太陽電池セル２の電荷の動きが妨げられて、太陽電池セル２の発電効率が低下する。以下、図６に基づき、発電効率の低下メカニズムを説明する。
【００３８】
［発電効率の低下メカニズム］
図６は、太陽電池パネルの一部を切り欠いた斜視図である。太陽電池セル２は、電気的な性質の異なるＮ型シリコン２０と、Ｐ型シリコン２１とをつなぎあわせた構造を有している。その太陽電池セル２に、図６中に白抜きの矢印で示す太陽光が当たると、その太陽光は太陽電池セル２に吸収される。そのとき吸収された光のエネルギーによって、電子と正孔とが太陽電池セル２に発生する。その発生した電子は、Ｎ型シリコン２０に引き寄せられ、正孔は、Ｐ型シリコン２１に引き寄せられる。
【００３９】
電子と正孔とが、それぞれ、Ｎ型シリコン２０とＰ型シリコン２１の両極に分かれることで、電池のような状態になる。そのため、Ｎ型シリコン２０とＰ型シリコン２１のそれぞれの表面に取り付けたインターコネクタ１１同士を繋ぐと電流が流れる。
【００４０】
しかし、上述したプラズマ現象が発生した場合、太陽電池セル２と白板強化ガラス８との間に電子が溜まり込み、太陽電池セル２と白板強化ガラス８との間に静電気が発生する。このような静電気の発生により、Ｐ型シリコン２１の中の正孔がＮ型シリコン２０の方に移動したり、Ｎ型シリコン２０の中の電子がＰ型シリコン２１の方に移動したりする。そのため、正孔をＰ型シリコン２１に、電子をＮ型シリコン２０に集めにくくなる。これにより、太陽電池セル２の電荷の動きが妨げられる。従って、太陽電池セル２の発電効率が低下する。以下、図７〜図１０を用いて、制御部１７Ｆによって行われる静電気の除電動作を説明する。
【００４１】
［制御部によって行われる静電気の除電動作］
図７〜図１０は、制御部１７Ｆによって行われる静電気の除電動作を説明する図である。この除電動作は、制御部１７Ｆが、太陽電池パネル１にＰＩＤ現象が生じたことを認識したときに、第１スイッチＳＷ１及び第２スイッチＳＷ２を制御することで行われる。図７〜図１０では図示を省略したが、太陽電池パネル１の両隣りには、太陽電池パネル１と同じ太陽電池パネルが配設されているものとする。
【００４２】
除電動作は、図７に示すように、第１スイッチＳＷ１の端子１、２が接続されてマイナス端子ＰＶ−と太陽電池パネル１の負極１Ｋとの接続状態が導通状態にあり、かつ第２スイッチＳＷ２の端子１、２の接続が解除されて、太陽電池パネル１の正極１Ａと負極１Ｋとが短絡（ショート）していない状態にある期間に開始される。
【００４３】
次に、制御部１７Ｆは、図８に示すように、第１スイッチＳＷ１の端子１、２の接続を解除して、太陽電池発電システムの電力系統端子となるマイナス端子ＰＶ−と、太陽電池パネル１の負極１Ｋとの接続を解除する。その接続の解除により、マイナス端子ＰＶ−と太陽電池パネル１の負極１Ｋとの接続状態が導通状態から非導通状態に切り替わる。その切り替わりによって、太陽電池パネル１の両隣りに配設された太陽電池パネルから太陽電池パネル１が電気的に切り離される。これにより、太陽電池パネル１は、太陽電池発電システムの電力系統から独立した状態となる。
【００４４】
次に、制御部１７Ｆは、図９に示すように、第２スイッチＳＷ２の端子１、２を接続して、太陽電池パネル１の正極１Ａと負極１Ｋとを電気的に接続して短絡させる。その短絡により、太陽電池セル２と白板強化ガラス８との間に溜まり込んだ電子が第２スイッチＳＷ２を介して太陽電池パネル１の正極１Ａに逃がされて除電される。その除電により、太陽電池セル２と白板強化ガラス８との間に発生した静電気がリセットされて消滅する。
【００４５】
次に、制御部１７Ｆは、図１０に示すように、第１スイッチＳＷ１の端子１、２を接続する。制御部１７Ｆは、第１スイッチＳＷ１の端子１、２を接続してマイナス端子ＰＶ−と太陽電池パネル１の負極１Ｋとの接続状態を非導通状態から導通状態に切り替え、かつ第２スイッチＳＷ２の端子１、２の接続を解除して、太陽電池パネル１の正極１Ａと負極１Ｋとが短絡していない状態に戻す。これにより、太陽電池パネル１の両隣りに配設された太陽電池パネルと、太陽電池パネル１とが電気的に接続され、太陽電池パネル１は太陽電池発電システムの電力系統に連系した状態となる。そして、制御部１７Ｆによって行われる静電気の除電動作が完了する。
【００４６】
図１１は、図５に示した回路の具体的な構成の一例を示すハードウェア構成図である。図１１に示すように、検出部１７’は、ＡＳＩＣ（Application Specific Integrated Circuit）を用いて構成することが可能である。この例に示すように、検出部１７’は、ダイオードＤ１〜Ｄ４のいずれとも連系する。その連系機構は、抵抗器Ｒ１、Ｒ２、Ｒｓ、演算増幅器ＯＡ（Operational Amplifier）を用いて構成される。
【００４７】
以上の実施形態で説明したように、制御部１７Ｆは、図９に示すように、第２スイッチＳＷ２の端子１、２を接続して、太陽電池パネル１の正極１Ａと負極１Ｋとを電気的に接続して短絡させる。その短絡により、太陽電池セル２と白板強化ガラス８との間に発生した静電気が第２スイッチＳＷ２を介して太陽電池パネル１の正極１Ａに逃がされて除電される。その除電により、太陽電池セル２と白板強化ガラス８との間に発生した静電気がリセットされて消滅する。
【００４８】
これにより、ＰＩＤ現象の発生に伴って太陽電池セル２と白板強化ガラス８との間に静電気が発生したとしても、その都度、静電気をリセットして消滅させることができる。従って、太陽電池パネル１の発電効率の低下要因となっていた静電気の発生を抑制することができる。
【００４９】
また、太陽電池パネル１がその両隣りに配設された太陽電池パネルから電気的に切り離されて、太陽電池発電システムの電力系統から独立した状態にあるときに、制御部１７Ｆは、太陽電池パネル１の正極１Ａと負極１Ｋとを短絡させる。
【００５０】
太陽電池パネル１をその両隣りに配設された太陽電池パネルから電気的に切り離さずに、太陽電池ストリング３単位で短絡（ショート）を実施することも考えられるが、短絡スイッチに大きな電圧（例えば６００Ｖ〜１０００Ｖ）がかかる分、その絶縁に大掛かりな装置が必要になってしまう。大掛かりな装置を用いた場合、その装置コストが高くなる。
【００５１】
これに対して、この実施形態で説明したように、太陽電池パネル１が太陽電池発電システムの電力系統から独立した状態にあるときに、短絡を実施する構成とすると、太陽電池パネル単位の小さな電圧（例えば３０Ｖ）で短絡を実施できる。このため、太陽電池セル２と白板強化ガラス８との間に発生した静電気の除電動作を低コストで行うことができるという効果がある。
【００５２】
また、太陽電池パネル１を太陽電池発電システムの系統から除去して両隣りに配設された太陽電池パネル１を電気的に直接接続する構成とできるので、太陽電池ストリング３が全体的に機能ダウンするのを回避することができるという効果を奏する。
【００５３】
以上、本発明の制御装置を実施形態に基づいて説明してきたが、具体的な構成については、上記の実施形態に限られるものではなく、特許請求の範囲の各請求項に係る発明の要旨を逸脱しない限り、設計の変更や追加などは許容される。
【００５４】
上記の実施形態では、図７〜図１０に示したように、制御部１７Ｆによって行われる静電気の除電動作は、太陽電池パネル１にＰＩＤ現象が生じたことを制御部１７Ｆが認識したときに行われる例を示した。しかし、これに限られない。例えば、制御部１７Ｆによって行われる静電気の除電動作は、太陽電池セル２と白板強化ガラス８との間に溜まり込んだ電子の量が所定量を超えたことを制御部１７Ｆが認識したときに行われても良い。
【００５５】
また例えば、制御部１７Ｆによって行われる静電気の除電動作は、太陽電池パネル１の発電効率が所定の発電効率以下となったことを制御部１７Ｆが認識したときに行われても良い。
【００５６】
また例えば、制御部１７Ｆによって行われる静電気の除電動作は、一定の周期で行われても良い。
【００５７】
また例えば、制御部１７Ｆによって行われる静電気の除電動作は、太陽電池パネル１が作動される頻度が比較的低いと想定される予め定められた時間帯に行われても良い。具体的に、静電気の除電動作は、太陽光発電システムによる太陽光発電が完了した夜間において行われても良い。
【００５８】
また例えば、制御部１７Ｆによって行われる静電気の除電動作は、外部からの信号を受信したときに行われても良い。具体的に、静電気の除電動作は、通信部１７Ｅが制御センターＭＣからの信号を受信したときや、手動操作による信号を受信したときに行われても良い。
【００５９】
上記の実施形態では、第２制御装置１７を第１制御装置１４に内蔵する例を示した。しかし、これに限られない。例えば、第２制御装置１７を図１２に示す余裕空間ＹＳに内蔵しても良い。図１２において、仮想線Ｌ１は、矩形状フレーム１２の一方の外周面（辺）に平行な仮想線である。仮想線Ｌ２は、矩形状フレーム１２の他方の外周面（辺）に平行な仮想線である。余裕空間ＹＳは、図１２に示すように、２本の仮想線Ｌ１，Ｌ２と矩形状フレーム１２とで仕切られた空間である。
【００６０】
図１２に示すように、第２制御装置１７を余裕空間ＹＳに内蔵して太陽電池パネル１と一体化した構成とすると、第２制御装置１７を内蔵するための接続ボックスを太陽電池パネルに設ける必要がなく、大掛かりな設置工事が不要になるとともに、接続ボックス同士をケーブル配線等で接続する必要もなく、電気工事が不要になることに加え、太陽電池パネルにおいて太陽電池セルが設けられていない空きスペースを有効活用できる、という効果がある。
【００６１】
上記の実施形態では、第１スイッチＳＷ１を、太陽電池発電システムの電力系統端子となるマイナス端子ＰＶ−と、太陽電池パネル１の負極１Ｋとの間に設ける例を示した。しかし、これに限られない。例えば、第１スイッチＳＷ１を、太陽電池発電システムの電力系統端子となるプラス端子ＰＶ＋と、太陽電池パネル１の正極１Ａとの間に設けても良い。要するに、第１スイッチＳＷ１は、太陽電池発電システムの電力系統と、太陽電池パネル１との接続状態を導通状態又は非導通状態に設定できれば良い。
【符号の説明】
【００６２】
１  太陽電池パネル
１Ａ  正極
１Ｋ  負極
２  太陽電池セル
８  白板強化ガラス（透明性基板）
８Ａ  受光面
１４  第１制御装置
１７  第２制御装置
１７Ｆ  制御部
ＳＷ１  第１スイッチ
ＳＷ２  第２スイッチ
【図１】
2018129949.tif 000003
【図２】
2018129949.tif 000004
【図３】
2018129949.tif 000005
【図４】
2018129949.tif 000006
【図５】
2018129949.tif 000007
【図６】
2018129949.tif 000008
【図７】
2018129949.tif 000009
【図８】
2018129949.tif 000010
【図９】
2018129949.tif 000011
【図１０】
2018129949.tif 000012
【図１１】
2018129949.tif 000013
【図１２】
2018129949.tif 000014